Podtech/llm-jp-corpus-v4-ja_patent huggingface dataset:
(57)【要約】【課題】運転中や車内・屋外等の不安定な場所において、両手の自由や視界に制限を受ける状態等でボトル飲料を飲むとき、片手で容易に開閉できる脱落防止機能付きのボトルキャップを提供する。【解決手段】キャップ本体１にパッキン２またはパッキン２及びツメ４を付けることによって、気密性を有するキャップとして利用できるとともに、片手での容易な着脱ができるようにする。  また、ホルダー部３をボトル本体に装着することにより、キャップによる栓が容易になるととともに紛失を防止できるようにする。【選択図】図２
2009166891.tif 000002
【特許請求の範囲】
【請求項１】
ペットボトルやガラスボトル等に取り付け、キャップのパッキンを利用して飲み口に装着することにより、片手による簡単な動作で着脱できるようにした脱落防止機能付きのボトルキャップ。
【請求項２】
ペットボトルやガラスボトル等に取り付け、キャップのツメとパッキンを利用して飲み口に装着することにより、片手による簡単な動作で着脱できる気密性を向上させた脱落防止機能付きのボトルキャップ。
【発明の詳細な説明】
【技術分野】
【０００１】  本発明は、運転中や車内や屋外等の不安定な場所における食事中等の両手が自由に使えない状態においても、ペットボトル等の飲み物を容易に飲めるよう、片手による簡単な操作でキャップの着脱を可能にしたものである。
【背景技術】
【０００２】  従来は、片手で簡単に着脱可能なボトルキャップはなかった。
【発明の開示】
【発明が解決しようとする課題】
【０００３】  ボトル飲料を飲む際、運転中や車内・屋外等の不安定な場所において、両手の自由や視界に制限を受けるとき、片手で容易に飲めるよう事前にキャップを開けた状態でカップホルダーやテーブル等に放置した場合、車両の振動等によるこぼれや炭酸飲料では炭酸抜けの原因となったり、また、キャップをした状態で無理に両手や両股等を利用して開けようとした場合は、無理な体勢を強いられこぼす原因となったり、特に運転中にあっては運転そのものに支障を来すという難点があった。本発明は、この課題を解決するためになされたものである。
【課題を解決するための手段】
【０００４】  この課題を解決するための請求項１の発明は、キャップ本体１の内側にパッキン２を貼り付けるとともにキャップとホルダー部３を接合し、紛失することなく片手で簡単にキャップの着脱を可能にできる。【０００５】  また、請求項２の発明は、パッキン２に加えツメ４を持たせることにより、より気密性を向上させたことを特徴とする脱落防止機能付きのボトルキャップである。可変性及び復元性を有するキャップ本体１に適度の湾曲を持たせることによって、片手によるツメ４の開閉を可能にした。また、キャップ本体１とツメ４の内側にパッキン２を装着することにより、ボトル本体とキャップの気密性を向上し、飲料水等の漏れ及び炭酸抜けを防止できるようにした。更に、キャップと接合されたホルダー部３をボトル本体に装着することにより、キャップの紛失を防止するとともに、片手による装着を容易にできるようにした。
【発明の効果】
【０００６】  本発明により、運転中等の不安定な状態においてもペットボトル等を片手で容易に開栓できる。また、開栓後は、ホルダー部により常にキャップがボトル本体の飲み口付近に保持されるため、片手で容易に栓をすることができるとともに、キャップの紛失を防止できる。
【発明を実施するための最良の形態】
【０００７】  図１は、キャップ本体１の内側にパッキン２を貼り付けるとともにキャップとホルダー部３を接合したことを特徴とする、脱落防止機能付きのボトルキャップである。同図に示すように、キャップ本体１の内側にパッキン２を接合し、ホルダー部３を取り付けることにより、気密性を保持し、かつ紛失することなく片手で簡単にキャップの着脱を可能にできる。【０００８】  図２は、図１に更にツメ４を加え、気密性を向上させたことを特徴とする、脱落防止機能付きのボトルキャップである。同図に示すように、ツメ４を付けた可変性及び復元性を有するキャップ本体１にパッキン２を接合して、キャップとホルダー部３を接合することにより、気密性を向上し、かつ紛失することなく片手で簡単にキャップの着脱を可能にできる。
【産業上の利用可能性】
【０００９】  本発明に係るボトルキャップは、工業的に量産する事が可能であるため、産業上の利用可能性を有する。
【図面の簡単な説明】
【００１０】
【図１】  パッキンとホルダー部を設けたボトルキャップの正面図である。
【００１１】
【図２】  パッキン、ツメとホルダー部を設けたボトルキャップの正面図である。
【００１２】
【図３】  図２の断面図である。
【符号の説明】
【００１３】  １  キャップ本体
２  パッキン
３  ホルダー部
４  ツメ
【図１】
2009166891.tif 000003
【図２】
2009166891.tif 000004
【図３】
2009166891.tif 000005
(57)【要約】【課題】  ものを包む際に必要な結びの技術の簡略化を促し、布地の材質や意匠の幅を広げることにより、和装・洋装、エコバッグ、アウトドアなど、幅広いシーンでの使用やファッショナブルな使用にも耐え得る四角形の布地を提供する。【解決手段】  四角形の布地（１）の４つある角の１つに２つの輪（２）を固定することを特徴とする。【選択図】図１
2009166892.tif 000002
【特許請求の範囲】
【請求項１】
四角形の布地（１）の４つある角の１つに２つの輪（２）を固定した輪付き布地。
【発明の詳細な説明】
【技術分野】
【０００１】  この発明は、四角形の布地（１）の４つある角の１つに２つの輪（２）を固定した、輪付き布地に関するものである。
【技術背景】
【０００２】  従来、四角形の布地は風呂敷として、それのみで使用されてきた。
【発明の開示】
【０００３】  これは次のような欠点があった。
（イ）結び目がかたくなると、結びに慣れていない子供や手の力が弱くなった老人には        扱いにくい。
（ロ）四角形の布地そのものは結び方によってさまざまな使い方ができるが、きれいに        使いやすく結び上げるのは難しい。
（ハ）四角形の布地は和装小物である風呂敷として流通することが多いが、それまでの        歴史・文化の流れのためか利用者層が狭い。
本発明は、以上のような欠点をなくすためになされたものである。
【課題を解決するための手段】
【０００４】  四角形の布地（１）の４つある角の１つに２つの輪（２）を固定する。
本発明は、以上の構成よりなる輪付き布地である。
【発明の効果】
【０００５】  （イ）包み結びの最後の締めを２つの輪を通すことによって行うので、手に提げたり締        めるときに力をこめたためにきつく締まったりしても、輪をゆるめることで容易        に解くことができる。
（ロ）最後の締めを２つの輪のみで行うので、複雑な結びが不要になる。
（ハ）固定された２つの輪が包み結びのポイントとなるため、ファッショナブルな用い        方の工夫をしやすく、布地の意匠・材質を変えることによって、和装だけでなく        洋装にも、エコバッグやアウトドアなどの多くの局面での使用にふさわしいもの        をアレンジすることができる。
【発明を実施するための最良の形態】
【０００６】  以下、本発明を実施するための最良の形態について説明する。
四角形の布地（１）の４つある角の１つに２つの輪（２）を縫い止めるなどして固定す  る。その際、固定する角を２つの輪の大きさに合わせて折りたたむとさらによい。
【図面の簡単な説明】
【０００７】
【図１】  本発明の全体図である。
【図２】  本発明の使用例である。
【符号の説明】
【０００８】  １  四角形の布地
２  ２つの輪
【図１】
2009166892.tif 000003
【図２】
2009166892.tif 000004
(57)【要約】【課題】  粉石鹸の容器には計量スプ−ンが付属しているが、使用する度に指先に洗剤が付着するのを防止するため柄を浮かせておく空間が必要で、容器のコンパクト化を阻んでいる。【解決手段】  計量スプ−ンを容器の外部に保管するための取り付け具やポケットを取り付けたり添付した容器とする。【特許請求の範囲】
【請求項１】
計量スプ−ンを容器の外部に保管できるように考慮された粉石鹸用の容器。
【発明の詳細な説明】
【技術分野】
【０００１】  この発明は、粉石鹸の容器に関するものである。
【背景技術】
【０００２】  粉石鹸には計量スプ−ンが付属しているが、開封後も容器内に保管するのが普通である。計量スプ−ンを使用する度に指先に洗剤が付着するのを防止するため、スプ−ンの柄の部分を浮かせておく空間が必要となり容器のコンパクト化には限界がある。
【発明の開示】
【発明が解決しようとする課題】
【０００３】  開封当初から計量スプ−ンを使用する度に指先に洗剤が付着しないようにすると共に、容器のコンパクト化を極限まで可能にする。
【課題を解決するための手段】
【０００４】  計量スプ−ンを容器の外部で保管出来るようにする。
【発明の効果】
【０００５】  計量スプ−ンを使用する度に指先に洗剤が付着することがない。余分な空間を設ける必要がなく容器をコンパクトに出来、流通コストを引き下げることが出来る。
【発明を実施するための最良の形態】
【０００６】  計量スプ−ンを外部で保管するための取り付け具やポケットを取り付けたり添付した容器とする。添付する場合は折畳式のポケットでなくてもよい。
【図面の簡単な説明】
【０００７】
【図１】  折畳式のポケットを容器の外側に取り付けた状態の斜視図。
【図２】  折畳式のポケットの展開図。破線は山折、一点鎖線は谷折りを示す。
【図１】
2009166890.tif 000002
【図２】
2009166890.tif 000003
(57)【要約】【課題】繋ぎ目無しでロール巻きしたごみ袋で、巻きのほどけ易さや、把っ手付きの袋の巻き方の課題を解決すること。さらには、巻きとった袋の収納箱の課題を解決すること。さらには、巻きとった袋の収納箱の課題を解決すること。【解決手段】多数枚のポリエチレン製ごみ袋は外巻きで巻きとり、把っ手付き袋は、袋を表裏交互に供給して巻く。さらに繋ぎ目無しロール巻き袋の特徴を活かすために、窓つき箱に収納する。【選択図】図５
2009166889.tif 000002
【特許請求の範囲】
【請求項１】
繋ぎ目（ミシン目）無しで、多数枚の袋を外巻き（ロール）することを特徴とするポリエチレン製ゴミ袋。
【請求項２】
把っ手付きポリエチレン製ごみ袋を、１袋づつ、繋ぎ目無しにロール巻きすることを特徴とする製造方法。
【請求項３】
窓つき箱に収納することを特徴とする、繋ぎ目無しでロール巻きしたポリエチレン製ごみ袋。
【発明の詳細な説明】
【技術分野】
【０００１】本発明は、多数枚の袋を繋ぎ目無しでロール巻きする、ポリエチレン製のごみ袋（以下ポリ袋という）に関するものである。
【背景技術】
【０００２】これまで、欧米の一部でポリ袋が、ミシン目などの繋ぎ目無しで、ロール巻きし、利用されている。
【発明の開示】
【発明が解決しようとする課題】
【０００３】しかし、従来の繋ぎ目無しロール巻きのごみ袋では、第一に巻きが解け易いことや、把っ手付きの袋を巻きとることに難があり、さらにはロールの形態では転がりやすいなど、収納に課題があった。
【課題を解決するための手段】
【０００４】この課題を解決するための請求項１の発明は、図１のように、巻きとる袋をロールの外側に置いて巻きとっていくことを特徴とする。従来の巻きとり方法は図２のように、巻きとられた袋の内側にはさみ込む方法をとっていた。これによると、巻き終わったロールから１袋をとり出す場合、必ず次の袋の一部をほどくことになり、巻きをゆるめ、形を乱す。本考案によれば、外側外側と巻くので、１枚を取り出しても、巻きをゆるめない。【０００５】請求項２の発明は、従来困難とされた、把っ手付きのポリ袋（図４−（１））を繋ぎ目無しで筒状にロール巻きすることを可能にした。把っ手付きポリ袋をロール巻きするには、普通幅広の袋を縦２つ折りして、使い易いサイズにする。問題は把っ手付きの袋の場合、図４−（２）（３）の断面図に示すように片側は袋のマチ（ガゼット）があるため、フィルムが８枚、一方は４枚である。
このまま巻きとると、巻かれた円筒形は片方が太く、他方は細くなる。
これでは機械的な巻きとり加工は不可能である。これの解決は図５の方法によって可能となった。即ち折りたたんだ袋を表裏、表裏と交互に供給し、巻きこむことで、筒の両端の径は一致することになる。【０００６】請求項３の発明は、繋ぎ目なしのロール巻きポリ袋の使用を便利にするために、ティッシュペーパーのように、窓つき箱に収納することを特徴とする（図６）。
この方法によると夫々の袋が繋げられていないために、ティッシュペーパーでいう、ポップアウトが可能となった。これまでロール巻きされたポリ袋も、ミシン目で繋いで箱詰めされている例があるが、ポップアウトとはいかず、ミシン目を捜した後、そこを切りとるという面倒さがあった。本考案によると、袋はスルスルと引っぱり出せ、切りとり線（ミシン目）を意識する必要がない。
【発明の効果】
【０００７】本発明により、繋ぎ目無しロール巻きポリ袋のほどけにくい巻き方を可能にし、把っ手つき袋の巻きとりを実現させるとともに、使用を利便化する収納が可能になった。
【発明を実施するための最良の状態】
【０００８】図１はポリ袋を外巻きすることを特徴とする斜視図。図２は従来の巻き方で、内巻きである。本考案の外巻きでは袋を１枚とり出すとき、巻きを崩さないが、在来法（図２）では、巻き重ね部分、即ち次の袋の先端を引っぱり出し、巻きをほどく。
【０００９】把っ手つきポリ袋は、利便性のために縦に２分の１に折り巻きとるが、図５のように新しい袋を表裏交互に供給していくことによって、巻きとった筒状の袋の両端の径は、同じサイズに合わせることができるようになった。
【００１０】図６は、繋ぎ目なしロール巻きのポリ袋を、窓つき箱（ミシン目入り窓）に収納した状態を示す斜視図。ティッシュペーパーの如く、ポリ袋がポップアウトできるようになった。
【産業上の利用可能性】
【００１１】本発明に係る、繋ぎ目無しにロール巻きするポリ袋は、工業的に量産することが可能であり、産業上利用の可能性をもっている。
【図面の簡単な説明】
【００１２】
【図１】多数枚のポリ袋を、繋ぎ目無しで外側外側と巻き重ねる図である。
【図２】多数枚のポリ袋を繋ぎ目無しで巻きとる場合、新しい袋を巻き取られた前の袋の内側に差し込んで行うことを示す。
【図３】巻きとったポリ袋（筒状）の断面図。３−（１）図は本考案の外巻き。３−（２）図は従来法の内巻きである。
【図４】把っ手付きポリ袋を示す。４−（２）図はポリ袋の底の断面図。４−（３）図はタテに２つ折りしたポリ袋の底の断面図。
【図５】把っ手付きポリ袋の巻きとり順序を示す。
【図６】繋ぎ目なしロール巻きのポリ袋を、窓つき箱（ミシン目入り窓）に収納した状態を示す斜視図。
【符号の説明】
【００１３】１．巻き込むために供給される袋
２．把っ手付きのポリ袋
３．ポリ袋を収納する窓つき箱
４．ポリ袋をポップアウトする窓
【図１】
2009166889.tif 000003
【図２】
2009166889.tif 000004
【図３】
2009166889.tif 000005
【図４】
2009166889.tif 000006
【図５】
2009166889.tif 000007
【図６】
2009166889.tif 000008
(57)【要約】【課題】  踏切内における人身事故を防止するためには、レーザービームで感知する方法が考えられていたが、レーザービームでは、その直線上の障害物しか感知することができない欠点があり、その欠点による事故が多発した。また、マイクロ波による場合は、感知する範囲を特定できない上に、コストが非常にかかりすぎる。【解決手段】  ビデオカメラとムービングセンサーとが一体となり、カメラの視野の障害物等をムービングセンサーで感知することにより、踏切遮断時、踏切内等の動作する障害物の有無を監視できる。【選択図】図２
2009166817.tif 000002
【特許請求の範囲】
【請求項１】
ビデオカメラにムービングセンサーを接続して、カメラの視野の障害物等を感知するシステム。
【発明の詳細な説明】
【技術分野】
【０００１】ビデオカメラにムービングセンサーを接続して、カメラの視野の障害物等を感知するシステムに関するものである。
【背景技術】
【０００２】  従来、防犯のため不審者の有無等をビデオカメラで単に監視し、ビデオカメラで常時撮影したものを録画していた。また、その長時間の映像を短縮する目的にムービングセンサーを利用して、必要な映像を抽出するものであった。【０００３】  遮断機が下りた後、踏切内の動作する障害物を感知するには、レーザービームによるものほか、マイクロ波による反射波の測定などによるものであった。
【発明の開示】
【発明が解決しようとする課題】
【０００３】  踏切内における人身事故を防止するためには、レーザービームで感知する方法が考えられていたが、レーザービームでは、その直線上の障害物しか感知することができない欠点があり、その欠点による事故が多発した。また、マイクロ波による場合は、感知する範囲を特定できない上に、コストが非常にかかりすぎる。
【課題を解決するための手段】
【０００４】  ビデオカメラ（１）、ムービングセンサー（２）を接続したものである。
本発明は、以上の構成からなる踏切内等障害物感知装置である。
【発明の効果】
【０００５】  ビデオカメラとムービングセンサーとが一体となり、カメラの視野の障害物等をムービングセンサーで感知することにより、踏切遮断時、踏切内等の動作する障害物の有無を監視できる。
【発明を実施するための最良の形態】
【０００６】  以下、本発明を実施するための最良の形態について説明する。
ビデオカメラ（１）、ムービングセンサー（２）を接続したものである。カメラの視野の障害物等をムービングセンサーで感知することにより、踏切遮断時、踏切内等の動作する障害物の有無を監視できる。
【図面の簡単な説明】
【０００７】
【図１】  （１）ビデオカメラに（２）ムービングセンサーを接続して、カメラの視野の障害物等を感知するシステム。
【図２】  破線で囲まれた踏切内を、（１）ビデオカメラで見下ろすように画像として捕らえ、その画像内における動作する障害物を（２）ムービングセンサーで感知して、通過する電車に警告するシステムである。
【符号の説明】
【０００８】  （１）ビデオカメラ、（２）ムービングセンサー
【図１】
2009166817.tif 000003
【図２】
2009166817.tif 000004
(57)【要約】【課題】広告表示手段に供給する電気を、被牽引車輌によって発生させ、且つ自走車輌が低速時でも広告表示手段に電気を供給することができる広告表示車輌、及び当該車輌の外周面に設けられた広告表示手段によって広告を宣伝する広告宣伝システムを提供することを課題とする。【解決手段】自走車輌に牽引される被牽引車輌であって、当該車輌の外周面に、広告表示手段を設けた。【選択図】なし【特許請求の範囲】
【請求項１】
自走車輌に牽引される被牽引車輌であって、当該車輌の外周面に、広告表示手段を設けたことを特徴とする広告表示車輌。
【請求項２】
前記被牽引車輌は、自走しない車輌であって、プーリーを有する発電機を搭載し、各車輪にプーリーを取り付けたことを特徴とする請求項１に記載の広告表示車輌。
【請求項３】
前記被牽引車輌は、自走車輌が低速時でも広告表示手段に電気を供給するため、前記発電機のプーリーと前記各車輪のプーリーとのギア比を４対１にしたことを特徴とする請求項１または請求項２に記載の広告表示車輌。
【請求項４】
前記広告表示手段は、液晶モニターであることを特徴とする請求項１から請求項３に記載の広告表示車輌。
【請求項５】
請求項１乃至請求項４のいずれかに記載の前記被牽引車輌を使って宣伝を表示することを特徴とする広告宣伝システム。
【請求項６】
前記広告表示手段は、広告依頼者毎に割り当てられたＩＤを基に、表示する広告データを検索して表示することができ、当該表示は、走行している住所地に最も近い広告依頼者から優先して表示することを特徴とする請求項５に記載の広告宣伝システム。
【発明の詳細な説明】
【技術分野】
【０００１】  本発明は、被牽引車輌の外周面に広告表示手段を設けた広告表示車輌及び当該車輌を使って広告を宣伝する広告宣伝システムに関する。
【背景技術】
【０００２】  従来から、自走する車輌の外周面に広告表示手段を設け、車輌を移動させながら広告を宣伝する車輌及びその方法に関する発明はあった。
例えば、トラックの側面に表示枠を取り付け、この表示枠に目的の広告を入れ、表示枠の内部から光によって広告を照射し、外部からは蛍光灯を用いて広告を照らすことで、移動しながら宣伝を行うというものである。
例えば、下記特許文献に、自動車の荷台用カバーを広告表示体とし、新たな広告表示の場を作ることを目的としたトラック荷台用カバーを用いた移動広告が開示されている。
【特許文献】特開２００２−２９３２６号
【発明の開示】
【発明が解決しようとする課題】
【０００３】  しかしながら、上記従来技術及び上記特許文献に開示されている発明は、あくまで自走する車輌の外周面に広告表示手段を設けたもので、これによって広告宣伝活動を行うものである。
このような、自走車輌に広告表示手段を設ける場合、広告を表示するための電力を確保しなければならず、自ずと自走車輌は大型化してしまう。
また、広告を表示させるためには、そのための電気を供給しなければならないが、自走車輌の蓄電量で補うことは到底できない。
そこで本発明は、上述の問題に鑑み、広告表示手段に供給する電気を、被牽引車輌によって発生させ、且つ自走車輌が低速時でも広告表示手段に電気を供給することができる広告表示車輌、及び当該車輌の外周面に設けられた広告表示手段によって広告を宣伝する広告宣伝システムを提供することを課題とするものである。
【課題を解決するための手段】
【０００４】  本発明は、上述の課題を、以下の手段によって解決することができる。【０００５】本発明の請求項１は、自走車輌に牽引される被牽引車輌であって、当該車輌の外周面に、広告表示手段を設けたことを特徴とする広告表示車輌である。【０００６】本発明の請求項２は、前記被牽引車輌は、自走しない車輌であって、発電機を搭載し、車輪にはプーリーを設けたことを特徴とする請求項１に記載の広告表示車輌である。【０００７】                                                                        （２）
本発明の請求項３は、前記被牽引車輌は、自走車輌が低速時でも広告表示手段に電気を供給するため、前記発電機のプーリーと前記各車輪のプーリーとのギア比を４対１にしたことを特徴とする請求項１または請求項２に記載の広告表示車輌である。【０００８】本発明の請求項４は、前記広告表示手段は、液晶モニターであることを特徴とする請求項１から請求項３に記載の広告表示車輌である。【０００９】本発明の請求項５は、請求項１乃至請求項４のいずれかに記載の前記被牽引車輌を使って宣伝を表示することを特徴とする広告宣伝システムである。【００１０】本発明の請求項６は、前記広告表示手段は、広告依頼者毎に割り当てられたＩＤを基に、表示する広告データを検索して表示することができ、当該表示は、走行している住所地に最も近い広告依頼者から優先して表示することを特徴とする請求項５に記載の広告宣伝システムである。
【発明の効果】
【００１１】１）比較的長時間に亘って、広告表示手段に広告を表示させることができる。【００１２】２）牽引車輌が低速運転時でも、被牽引車輌の広告表示手段に電気を供給できる。【００１３】３）牽引車輌が時速約２０ｋｍで走行した場合でも、普通自動車が時速約８０ｋｍで走行した場合と同等の電力を供給することができる。【００１４】４）被牽引車輌を使って広告を表示して宣伝する広告宣伝システムを提供できる。
【発明を実施するための最良の形態】
【００１５】  以下、本願発明の実施の形態について説明する。【００１６】  広告表示車輌とは、広告を表示する車輌であって、被牽引車輌をいう。
被牽引車輌とは、牽引車輌に牽引される車輌であって、自走しない車輌をいう。
自走車輌とは、被牽引車輌を牽引する車輌であって、自走する車輌をいう。
被牽引車輌は、発電機を搭載し、各車輪にはプーリーを設ける。
発電機のプーリーと各車輪のプーリーとのギア比は４対１である。
これにより、自走車輌が低速時でも、被牽引車輌に設けた広告表示手段に電気を供給することができる。
例えば、牽引車輌が時速約２０ｋｍで走行した場合でも、普通自動車が時速約８０ｋｍで走行した場合と同等の電力を供給することができる。
本実施例では、広告表示手段として、液晶モニターを使用する。
広告表示手段は、広告を表示できれば、液晶モニター以外でも使用することができる。
液晶モニターは、被牽引車輌の外周面に設ける。
これにより、被牽引車輌の外周面に設けた液晶モニターによって、当該車輌を牽引しながら、広告を表示して宣伝することができる。                              （３）
なお、表示する広告は、広告依頼者毎に割り当てられたＩＤを基に、表示する広告データを検索して表示する。
当該表示は、走行している住所地に最も近い広告依頼者のＩＤを検索して、当該広告依頼者の広告データから優先して表示する。
これにより、効果的な広告宣伝活動を行うことができる。
(57)【要約】      （修正有）【課題】他のソフトで表示された文章が多岐に渡って必要な時にコピ−機能で記録装置に格納後貼り付け機能により表示の繰り返しをして編集していたのを簡素化できるようにする。【解決手段】他のソフトで表示された文章が多岐に渡って必要な時にコピ−  能を連続して記録装置に格納し文章を結合表示する事により解決される。【選択図】図１
2009301145.tif 000002
【特許請求の範囲】
【請求項１】
表示された文章を入力装置で必要文章Ａを記録装置に格納続けて必要文章Ｂを記憶装置に格納する事により文章Ａと文章Ｂを結合さす。続けて必要文章Ｃを記録装置に格納する事により文章Ａと文章Ｂの結合体に文章Ｃを結合さす。必要文章を連続して記録装置に格納し結合された文章を表示するプログラム
【発明の詳細な説明】
【技術分野】
【０００１】本発明は、プログラムに関する枝術
【背景技術】
【０００２】従来技術は、コピ−と切り取り機能で記録装置に格納、表示が有るが連続的に格納、編集機能が無かった。
【発明の開示】
【発明が解決しようとする課題】
【０００３】従来のプログラムでは、他のソフト間で必要部分が多岐の場合コピ−をしては、貼り付け操作のやり取りを１箇所ごとに行き来しなければ出来なかった。そこで本発明は、編集効率向上を課題とする。
【課題を解決するための手段】
【０００４】上記課題を解決するために、請求項１は、必要部分を連続的に記録装置に格納し結合表示する事により解決される。
【発明の効果】
【０００５】省略
【図１】
2009301145.tif 000003
【手続補正書】
【提出日】平成20年8月25日(2008.8.25)
【手続補正１】
【補正対象書類名】明細書
【補正対象項目名】全文
【補正方法】変更
【補正の内容】
【発明の詳細な説明】
【枝術分野】
【０００１】本発明は、プログラムに関する枝術
【背景枝術】
【０００２】従来枝術は、コピ−と切り取り機能で記録装置に格納、表示が有るが連続的に格納、編集機能が無かった。
【発明の開示】
【発明が解決しようとする課題】
【０００３】従来のプログラムでは、他のソフト間で必要部分が多岐の場合コピ−をしては、貼り付け操作のやり取りを一箇所ごとに行き来しなければ出来なかった。そこで本発明は、編集効率向上を課題とする。
【課題を解決するための手段】
【０００４】上記課題を解決するために、請求項１は、必要部分を連続的に記録装置に格納し結合表示する事により解決される。
【発明の効果】
【０００５】省略
【図面の簡単な説明】
【０００６】
【図１】プログラムの流れを表す図である
(57)【要約】【課題】複数の方向に光線を照射可能な照明装置を提供する。【解決手段】本体１０の内側に折角の異なる複数の基部１１を有する。複数の発光部品２０は、各基部１１にそれぞれ装着される。複数の集光カップ２２は、各発光部品２０上に装着される。複数の透し孔３２は、基部１１内面に外形が合致し固定される反射板３０に設けられ、発光部品２０が発光する光線が透過する。透明な防塵カバー４０は本体に接合され各発光部品２０を保護する。このような装置によると、各発光部品の照射する光線は複数の角度の光線となり、複数の方向に光線を照射することができる。【選択図】図２
2009301778.tif 000002
【特許請求の範囲】
【請求項１】
本体と、
前記本体の内側に設けられ、異なる折角を有する複数の基部と、
前記基部に装着される複数の発光部品と、
前記発光部品上に装着される複数の集光カップと、
前記基部の内面に外形が合致し、前記基部に固定される反射板と、
前記反射板に設けられ、前記発光部品が発光する光線が透過する複数の透し孔と、
前記本体に接合され、前記発光部品を保護する透明な防塵カバーと、
を備え、
前記発光部品の照射する光線は前記基部の折角により垂直に照射され、照射される光線は複数の角度の光線であり、光線照射方向の角度および範囲を制御できることを特徴とする照明装置。
【請求項２】
前記発光部品は、発光ダイオードとすることを特徴とする請求項１に記載の照明装置。
【発明の詳細な説明】
【技術分野】
【０００１】
本発明は照明装置に関し、特に複数の方向に光線を照射可能な照明装置に関する。
【背景技術】
【０００２】
光源とは経済発展の促進、および人類の生活に不可欠の要素であり、照明装置は時代と共に進化し、現在では多種多様なデザインおよび技術を含む照明装置がみられる。とりわけ地球規模で省エネルギーおよび環境保護が求められている情況の下、体積が小さく、寿命が長く、汚染が少なく、消費電力が少なく、電源開閉に対する反応速度が速い、耐震性に優れるなどの理由で、発光ダイオード（ＬＥＤ）を利用した照明装置が誕生している。
【０００３】
しかし、発光ダイオードの発光照射方向は単一方向であるため、従来の電球あるいは蛍光灯の照射角度と比べて、照射される光線の角度は極めて小さく、発光ダイオードの照明装置への用途は制限されていたという問題がある。
【発明の開示】
【発明が解決しようとする課題】
【０００４】
本発明の第一の目的は、複数の方向に光線を照射可能な照明装置を提供することにある。
本発明の第二の目的は、構造が単純で、装着が容易で、低コストであり、且つ各種照明装置に応用できる、複数の方向に光線を照射可能な照明装置を提供することにある。
【課題を解決するための手段】
【０００５】
前述の課題を実現するため、本発明による照明装置は、本体、複数の基部、複数の発光部品、複数の集光カップ、反射板、反射面、複数の透し孔、および透明な防塵カバーを有する。本体内側には、折角の異なる複数の基部を有する。複数の発光部品は、本体内側の基部に装着される。複数の集光カップは、各発光部品上に装着される。複数の透し孔は、基部内面に外形が合致し、基部に固定される反射板に設けられ、発光部品が発光する光線が透過可能である。透明な防塵カバーは、本体に接合され、各発光部品を保護する。
【０００６】
各発光部品の照射する光線は、基部に設けられた複数の異なった角度の折角により垂直に照射され、且つ照射される光線は、各発光部品の装着される各基部の折角の違いにより複数の角度の光線となり、基部の折角を変えることにより、光線照射方向の角度および範囲を制御することができる。
【発明を実施するための最良の形態】
【０００７】
以下、本発明の実施形態を、図面に基づいて説明する。
（一実施形態）
図２に示すように、本実施形態による照明装置は、本体１０、基部１１、発光部品２０、集光カップ２２、反射板３０、反射面３１、透し孔３２、および防塵カバー４０を含む。
【０００８】
本体１０は、異なる折角の複数の基部１１を内側に有する。複数の発光部品２０は、本体内側の各基部１１にそれぞれ装着される。複数の集光カップ２２は各発光部品２０上に装着される。複数の透し孔３２は、基部１１の内面に外形が合致し固定される反射板３０に設けられ、発光部品２０が発光する光線が透過する。透明な防塵カバー４０は、本体に接合され各発光部品２０を保護する。
各発光部品２０の照射する光線は、基部１１に設けられた複数の異なる角度の折角により垂直に照射され、且つ照射される光線は複数の角度の光線となり、光線照射方向の角度および範囲を制御することができる。
【０００９】
（他の実施形態）
基部１１は精確な計算を経て、図３から図６に示すように、各種の異なる造形の本体１０に応用することができ、各発光部品２０が設置された各基部１１の折角の違いにより、光線２１の照射範囲は本実施形態の照明装置の各種用途に適合する。
【００１０】
図７に示すように、各発光部品２０が設置された各基部１１の折角の違いにより、各発光部品２０の照射方向を制御することができ、図８および図９に示すように照明装置の照射する光線方向の角度および範囲を制御することができる。
【００１１】
本発明の実施形態は、さらに変化に富んだものでもよく、本発明の特許請求の範囲内におけるあらゆる変化および修飾については、みな本発明に係る特許請求の範囲に含まれるものとする。
【図面の簡単な説明】
【００１２】
【図１】本発明の一実施形態による照明装置を示す断面図。
【図２】本発明の一実施形態による照明装置を示す分解斜視図。
【図３】本発明の他の実施形態による照明装置を示す分解斜視図。
【図４】本発明の他の実施形態による照明装置を示す分解斜視図。
【図５】本発明の他の実施形態による照明装置を示す分解斜視図。
【図６】本発明の他の実施形態による照明装置を示す分解斜視図。
【図７】図６の照明装置を示す斜視図。
【図８】本発明の他の実施形態による照明装置の照明効果を示す模式図。
【図９】本発明の他の実施形態による照明装置の照明効果を示す模式図。
【符号の説明】
【００１３】
１０：本体、１１：基部、２０：発光部品、２1：光線、２２：集光カップ、３０：反射板、３１：反射面、３２：透し孔、４０：防塵カバー
【図１】
2009301778.tif 000003
【図２】
2009301778.tif 000004
【図３】
2009301778.tif 000005
【図４】
2009301778.tif 000006
【図５】
2009301778.tif 000007
【図６】
2009301778.tif 000008
【図７】
2009301778.tif 000009
【図８】
2009301778.tif 000010
【図９】
2009301778.tif 000011
(57)【要約】      （修正有）【課題】通常の採光窓と同様程度のコストで、できるだけ効率よく集光するために、採光部用として大口径で焦点距離の短い、すなわち平凸レンズの厚みの厚い平凸レンズを安価に製作する方法を提供する。【解決手段】平凸レンズ１２内部を中空構造とし、レンズ部材に使用する透明樹脂材料を削減することにより全体のコストを削減し、中空部分に水を注入することにより、全体として平凸レンズの光学的機能を保たせる。【選択図】図１
2009301762.tif 000002
【特許請求の範囲】
【請求項１】
透明樹脂製の平凸レンズを、建物構造物の屋根部分に設置し、太陽光を集光し建物内照明に使用することを特徴とする採光装置。
【請求項２】
請求項１の透明樹脂製の平凸レンズの内部を空洞構造とし、その空洞部分に水を注入及び排出できる構造とした平凸レンズを、建物構造物の屋根部分に設置し、太陽光を集光し建物内照明に使用することを特徴とする採光装置。
【請求項３】
請求項１の透明樹脂製の平凸レンズの内部をレンズを補強するため補強壁を設ける構造とし、その空洞部分に水を注入及び排出できる構造とした平凸レンズを、建物構造物の屋根部分に設置し、太陽光を集光し建物内照明に使用することを特徴とする採光装置。
【発明の詳細な説明】
【技術分野】
【０００１】
本発明は、太陽光を屋内へ導入して屋内を照明するための採光装置に関する。
【背景技術】
【０００２】
近年、太陽光を屋内へ導入して屋内を照明するための採光装置が知られており、この採光装置は、建物の屋根に設けられて太陽光を導入する採光手段と、この採光手段からの光をその内面で反射させながら所定方向へ導く筒状の導光手段と、屋内の天井に設けられて導光手段からの光を屋内に照射する照射手段と、を備えている（例えば、特許文献１参照）。
【０００３】
採光手段はドーム部材及び取付部材を備えており、取付部材は、屋根に取り付けられる基台部と、基台部から上方に延びる筒状の支持部とから構成され、ドーム部材は支持部の開口部に装着される。また、照射手段は拡散カバー部材から構成され、固定用リングを介して屋内の天井に取り付けられる。導光手段は、相互に接続される複数の筒状部材から構成され、導光手段の一端部は、屋根に設けられた開口を通して取付部材の支持部に連結され、その他端部は、天井に設けられた開口を通して照射手段に連結される。
【０００４】
【特許文献１】特開平１１−３０６８１９号公報
【０００５】
ドーム状の採光装置（例えば、特許文献２参照）なども開示されているが、採光部分での太陽光を積極的に集光する機能はなく、透明平板となんら集光効率は変わらない。太陽光を積極的に有効利用するためには、レンズ、反射鏡など集光手段を用い、かつできる限り太陽光線が直角に入光するように、太陽の移動に伴い追尾する装置と込み合わせる必要がある。（例えば、特許文献３参照）しかし太陽追尾などの駆動部分を設けることは、装置のコストアップ要因となる。
【０００６】
【特許文献２】特開２００６−３０５５０４号公報
【特許文献３】特開平１１−２８１９１５号公報
【発明の開示】
【発明が解決しようとする課題】
【０００７】
通常の採光窓と同様程度のコストで、できるだけ効率よく集光するには、採光部を平凸レンズにすることで、平板窓よりははるかに太陽光を集光できる。
【０００８】
また平凸レンズの厚みを大きくすれば、集光効率もますが、その分製作コストも上昇する。また平凸レンズの直径を大きくすればより多くの太陽光を取り入れることが可能となる。
【０００９】
本発明では、大口径で焦点距離の短い、すなわち平凸レンズの厚みの厚い平凸レンズをいかに安く製作できるかが課題である。
【課題を解決するための手段】
【００１０】
本発明では、課題を解決するため平凸レンズ内部を中空構造とし、レンズ部材に使用する透明樹脂材料を削減することにより全体のコストを削減し、中空部分に水を注入することにより、全体として平凸レンズの光学的機能を保たせることにより問題を解決する。
レンズ製造材料の透明樹脂（例えば透明アクリル）の光屈折率は、水のそれとほぼ同等であり十分レンズとしての集光機能は保持できる。できればドーム状の透明樹脂部分は、水の屈折率より屈折率が若干低い材料を使用し、底の平板部分は水の屈折率より屈折率が若干高い材料を使用することにより集光効率が良くなる。これは光ファイバーなどと同様光の全反射が利用できるためである。
【００１１】
また、水をレンズに注入及び排出できる構造とすることにより、太陽熱で暖められた温水の利用も可能となり、かつ熱が除去された光のみを取り入れることも可能になるなどの効果も期待できる。
【００１２】
より大口径の厚みのある半円球に近いものを製作する場合、中空にしただけでは構造上強度が不足するので中空中に補強としてハニカム構造を製作しても、光学的には問題はない。
【００１３】
また、平凸レンズの平面（下）部分を下方へロッド状に伸ばした形状２０や、ドラムレンズ形状３０などにしてもよく、平凸レンズを非球面レンズ状でも差支えない。
【発明の効果】
【００１４】
本発明によって、効率のよい太陽光採光装置が提供されることはもとより、水を大量に貯蔵していることにより災害時の水の確保や、火災時のスプリンクラー用の用水としても有効である。
【発明を実施するための最良の形態】
【００１５】
以下に、本発明に係る採光装置の最良の実施形態について説明する。図１は、中庭のある建物の中庭部分上方に本発明の採光装置を設置した図である。太陽光が斜めから照射される場合、平凸レンズが設置されていなければ点線のごとく中庭には入光しないが、本発明の平凸レンズが設置されている場合は、太陽光がレンズで屈折され中庭に入光する。
【００１６】
中庭に入光した太陽光を有効に建物下部の住居部分の導くには、壁面に反射板を設置してもよいが、レンズの形状を図２のように２０、３０にしてかつ［００１２］にて説明している透明樹脂材質を使用することによる、屈折率の差のよる光の全反射効果を利用すれば有効に住居部分に太陽光を入光させることができる。
【図面の簡単な説明】
【００１７】
【図１】中庭のある建物の中庭部分上方に本発明の採光装置を設置した説明図である。
【図２】本発明のレンズ部分の形状説明図である
【符号の説明】
【００１８】
１１太陽光。１２平凸レンズ。１３中庭。１４建物。１５平凸レンズによる屈折光。１６平凸レンズがない場合の太陽光。２０平凸レンズの平面（下）部分を下方へロッド状に伸ばした形状。３０ドラムレンズ形状。
【図１】
2009301762.tif 000003
【図２】
2009301762.tif 000004
(57)【要約】      （修正有）【課題】ベランダからの侵入者を、音と水によって撃退する、防犯マットを提供する。【解決手段】長方形に形成した硬質ウレタンに、ペットボトルの首の部分を嵌め込む穴を、等間隔で複数個設け、ペットボトルを寝かせた時、底の上になる部分に、空気の抜け穴を空け、その下まで水を入れて、防犯マットに嵌め込み、必要な数だけ、ベランダに敷き詰める。この防犯マットは、ペットボトルの首を固定しているだけなので、侵入者が踏むと、足元が不安定になり、ペットボトルのつぶれる音と、空気の抜け穴から出る水が、侵入者を撃退する。【選択図】図１
2009301520.tif 000002
【特許請求の範囲】
【請求項１】
長方形に形成した硬質ウレタンに、ペットボトルの首の部分を嵌め込む穴を、等間隔で複数個設けたことを特徴とする防犯マット。
【発明の詳細な説明】
【技術分野】
【０００１】  本発明は、ベランダからの侵入者を、音と水によって撃退する、防犯マットに関するものである。
【背景技術】
【０００２】  従来、マンション１階は、ベランダからの侵入による被害が多く、ライト、警報装置、防犯カメラ等の設置が叫ばれているが、賃貸マンションの多くは設置されていない。
【発明の開示】
【発明が解決しようとする課題】
【０００３】  それには、次のような問題点があった。
（イ）賃貸マンションの住人は、転居が多く、設置には大家の許可が必要で、設置費用や維持費が高額なことから、設置しにくい状況である。
（ロ）比較的安価な砂利を敷き、侵入を防ぐ方法もあるが、転居時の後始末が煩雑である。
本発明は以上の問題点を解決しようとするものである。
【課題を解決するための手段】
【０００４】  長方形に形成した硬質ウレタンに、ペットボトルの首の部分を嵌め込む穴を、等間隔で複数個設けた。以上を特徴とする防犯マットである。
【発明の効果】
【０００５】  本発明は、使用済みペットボトルを利用するので、経済的である。
また、設置や後片付けが簡単である。
【発明を実施するための最良の形態】
【０００６】  以下、本発明の実施の形態について説明する。
（イ）硬質ウレタンを、縦は、ペットボトルの厚みより短く、横は、ペットボトルの数に応じた長さに切る。
（ロ）切り取った硬質ウレタンに、ペットボトルが等間隔で置けるよう間をあけ、ふたと同じ大きさの穴を、複数個設けて、上部を切り離す。
本発明は、以上の構成からなっており、本発明を使用するときは、使用済み２リットルのペットボトルを複数本用意する。ペットボトルを寝かせた時、底の上になる部分に、空気の抜け穴を空け、その下まで水を入れて、防犯マットに嵌め込み、必要な数だけ、ベランダに敷き詰める。この防犯マットは、ペットボトルの首を固定しているだけなので、侵入者が踏むと、足元が不安定になり、ペットボトルのつぶれる音と、空気の抜け穴から出る水が、侵入者を撃退する。
【図面の簡単な説明】
【０００７】
【図１】本発明の斜視図
【図２】本発明の使用状態を示す斜視図
【符号の説明】
【０００８】    １  切り離す部分
２  ペットボトルのふたと同じ大きさの穴
３  ２リットルのペットボトル
４  空気の抜け穴
５  水
６  ペットボトルのふた
【図１】
2009301520.tif 000003
【図２】
2009301520.tif 000004
(57)【要約】      （修正有）【課題】三灯式を一灯式とし、一つの円形発光表示部に、三色それぞれの高輝度ＬＥＤを組み合わせ、三色のうち必要な色を発光させることにより、形状が簡素化し軽量化した交通信号機を提供する。【解決手段】三灯式信号を一灯式とし、一つの発光表示部に、三色それぞれの高輝度ＬＥＤを一組として組み合わせ、４、５、６の中から必要な色のみを時間調節可能にて、発光や点滅の作動出来る機能を以て構成する。加えて、矢印や記号などの表示用には、一つの発光部に数種類の表示記号を発光点滅可能とし、交通信号機としての発光表示の器具数を、必要最小限に留める。更に加えて、緊急災害発生時や歩行者待ち時間などの表示にも対応可能とする。【選択図】図１
2009301519.tif 000002
【特許請求の範囲】
【請求項１】
交通信号機に必要な色を発光する高輝度ＬＥＤなどの発光器具を、一つの発光表示板内に、基本となる三色を表示出来るよう規則ある配列をもって配置し、一灯式にて、目的の色を発光表示する交通信号機。
及び、点滅や流れなど、目的に応じた色数を以て、数種類の矢印や記号を表示する標識表示装置。
【発明の詳細な説明】
【技術分野】本発明は、一つの発光表示部内に、数色の高輝度ＬＥＤを組み合わせ配置し、必要な色や記号を発光表示出来る表示装置、及び交通信号に関するものである。
【背景技術】従来の表示装置や交通信号機は、多くの電力を必要とするため、近年、省電力長寿命のＬＥＤ使用へと移行化が進みつつある事は望ましい事で有るが、
三灯用は、三つの円形発光部を以て構成する為に生じる制作費に加え、矢印や記号の器具の増加に伴い、装置自体の重量や風雪に耐える為の構造による装置の肥大化が顕著である。この点に着目し、設備資材や装置費用などの軽減化を図りつつ、景観の美化に寄与するものである。
【発明の開示】
本発明は、交通信号機の意味する表示を、最小限の器材や資材を以て、的確に発光表示する事にある。
【発明が解決しようとする課題】
従来よりの交通信号機も、次第にＬＥＤ使用へと移行化が進み、省電力化は、地球温暖化問題に関わる地球温室効果ガス削減に貢献しつつあるが、ＬＥＤの持つ特性の一つである、低発熱量、高速応答性、耐衝撃性、更には小型軽量の利点を生かしきっていない。加えて、年々交通事情の複雑化により、交通信号機も表示内容の複雑化に応じ、表示機器の数の増加に伴う器具の肥大化も顕著になり、器具本体及び補持具の必要資材や重量の増加は、自然環境問題に逆行しており、町並みの景観を損ねている。本発明はこれらの問題点を解決する為になされたものである。
【課題を解決する為の手段】
従来の三灯式信号を一灯式とし、一つの円形発光表示部に、三色それぞれの高輝度ＬＥＤを一組の単位として規則正しく組み合わせ、三色のうち必要な色を、時間調節可能にて、発光や点滅の作動出来る機能を以て構成する。
加えて、矢印や記号などの表示用には、数種類の矢印や記号を表示発光点滅可能とし、交通信号機としての円形発光部を、必要最小限に留めた事である。結果、安全運転に貢献出来ると共に、横断歩行者や自転車走行者に対しても、待ち時間等の表示等も容易であり。更に加えて、緊急災害発生時等の表示にも対応可能とする事である。
【発明の効果】
１  交通信号機の発光材料に、高輝度ＬＥＤを全面的に使用する事により、既存光源の白熱電球と比較して、長寿命、低発熱量、高速応答性、耐衝撃性、小型軽量などの特長を有効に生かせて、メンテナンスの経費が大きく削減出来る。
２  ＬＥＤの全面使用により、高発光効率の特性による、省電力化が極めて有効且つ効果的であり、地球自然環境保護の問題に対しても、日本全国の交通信号機の光源が、全て従来の電球式からＬＥＤに交換した場合、年間約８．３億ｋｗｈの節電と言われる程、極めて有効である。
３  従来の三灯式交通信号機は、アメリカで１９１８年、日本では１９３０年の昭和５年に初めて設置されたと言われ、今日まで改良を重ね現在に至るが、近年、従来より使用の白熱電球をＬＥＤに切り替え始めたものの、ＬＥＤの持つ優れた特性を生かし切るには至ってない点に工夫を加えた。
４  直径５ｍｍなど小半径のＬＥＤゆえ出来る、信号色である三色の組み合わせを一つの単位として、一つの円形発光部に配置が可能であり、結果、必要とする信号色が、一つの円形発光部のみで表示出来る構造とした事である。
５  交通信号機は、必要とする色や記号の発光表示こそ絶対不可欠の要素であり、必ずしも三色それぞれの発光装置部は必要なく、その為の器具資材や、重量の嵩む機材の補持具にも、相当の資材を要していた点を改め、形状の簡素化と軽量化に役立てた事である。
６  形状の簡素化に伴い、豪雪への対処、風雨への対応も、単純な構造ゆえ、視認性を損なう事なく、形成が容易となる。
７  形状の簡素化により、又小型になる為、観光施設や文化施設等への景観を損ねる事なく、町並みの美観を保護する。
８  歩行者用灯器や矢印信号灯器など、記号表示の表現も、一つの表示発光板に、三色など色の変化や記号の変化や、時間経過の表示や点滅等をあらかじめ設定する事により、容易に且つ認識性の高い表示が可能である。
【発明を実施するための最良の形態】
2009301519.tif 000003
【図面の簡単な説明】図１  の部分説明
【符号の説明】
▲１▼  高輝度ＬＥＤ各色組み合わせ設置部
▲２▼  円形発光部枠
▲３▼  標識基盤
▲４▼  赤色ＬＥＤ
▲５▼  黄色ＬＥＤ
▲６▼  緑色ＬＥＤ
【図１】
2009301519.tif 000004
(57)【要約】【課題】レンズクリーナー。【解決手段】鉤形の形状でフレキシブルな概鉤形状清掃部材１（例えば  ブラシ等）が、少なくとも一つ以上クリーニングディスク２のディスク演奏面３へ回転方向前方から、鉤形状清掃部材１先端部を下向きにして後方の位置へ傾斜伸長させて構成している。【選択図】図１
2009301694.tif 000002
【特許請求の範囲】
【請求項１】
光ピックアップの対物レンズの汚れをクリーニングするレンズクリーナーにあって、少なくとも一つ以上のフレキシブルな状態を有する清掃部材（例えばブラシ等）の先端が鉤形状で、ブラシ先端からディスクへの取り付け基部の間が直線又はへの字形、又はアーチ形の形状を成し、該形状の清掃部材をクリーニングディスクの演奏面へ回転方向前方から、鉤形状の各清掃部材先端部を下向きにして、ディスクへの取り付け基部よりも後方の位置へ傾斜伸長させて設け、該、各形状のブラシ先端がピックアップレンズに接触し、クリーニングするよう構成したことを特徴とする光ピックアップレンズクリーナー。
【請求項２】
前記清掃ブラシの先端以外も、鉤形状を有したことを特徴とした請求項１記載の光ピックアップレンズクリーナー。
【発明の詳細な説明】
【発明が属する技術分野】
【０００１】  本発明は、光ピックアップ対物レンズのクリーニングに関するものである。
【背景技術】
【０００２】現在市販されている多くの光ピックアップレンズクリーナーは、元々ＣＤを対象に作られたものであって、基本的な構造はディスク面に一つ又は複数のプラシ等の清掃部材が設けられ、該ディスクをプレーヤで再生することにより光ピックアップの対物レンズに清掃部材が接触し、該光ピックアップの対物レンズの汚れをクリーニングする方式が主流である。
【発明が解決しようとする課題】
【０００３】主にＣＤに使用するのであれば前記構造でも特に問題は生じなかった、しかし最近ではＤＶＤの普及と共に、メディア側も多層構造となり録画時間も長時間録画が可能となっている。多層構造のディスク再生時にはレンズの焦点距離が変化し、レンズとディスク演奏面との隙間も当然ながら変化する。しかし前記クリーニングディスクでは、丈の決まった清掃部材を、クリーニングディスクに対しほぼ垂直に設けてある為に、ディスク演奏面からレンズが遠い位置にある場合には清掃部材の先端部との接触となり衝撃が少ないが、ディスク演奏面にレンズが接近した場合には清掃部材の根元との接触となり光ピックアップに強い衝撃が加わることとなり不具合をもたらす湯合があった。
【課題を解決する手段】
【０００４】本発明では、フレキシブルな状態を有する前記清掃部材（例えばブラシ等）の先端が鉤形状のブラシをディスク演奏面へ先端を下向きにし、ディスクへの取り付け基部よりも後方へ傾斜伸長させて設けてある。そうすることで前記、各形状の清掃ブラシ及び鉤形状部分先端が、レンズとディスク演奏面との焦点距離の違いにより生じるブラシとの接触度合いに応じて、直線、への字、アーチ等、各形状及び鉤形状ブラシがリーフスプリングと同様に、撓んだり伸びたりし、衝撃を吸収しながらレンズに衝撃を与えることなく理想的なクリーニングが出来る。
【発明の実施と形態】
【０００５】  本発明の構成を図１〜図７に依って説明する。
なお、本段落番号内の説明は鉤形状清掃部材１を代表例として説明する。
鉤形の形状でフレキシブルな概鉤形状清掃部材１（例えば  ブラシ等）が、少なくとも一つ以上クリーニングディスク２のディスク演奏面３へ回転方向前方から、鉤形状清掃部材１先端部を下向きにして後方の位置へ傾斜伸長させて構成している。
【０００６】前記した鉤形清掃部材１以外に、への字形清掃部材４及びアーチ形清掃部材５も前記同様の構成を可能にしている。
【実施例】
【０００７】  本発明の実施例を図１〜図７に依って説明する。
プレーヤ７のディスク挿入孔８にクリーニングディスクに設けたディスク挿入方向表示部９より挿入すると，概クリーニングディスク２は動作を開始しフレキシブルな状態を有する鉤形状清掃部材１（例えばブラシ等）の先端部が、レンズ１０とクリーニングディスク２の演奏面３との焦点距離の違いにより生じる接触度合いに応じて鉤形状清掃部材１先端部及び清掃部材１全体が自在に変化し、衝撃を吸収しながら理想的なクリーニングを行う。【０００８】前記への字形清掃部材４、及びアーチ形清掃部材５も前記同様の動作を行う。
【効果】
【０００９】レンズに優しいクリーニング効果が得られる。
【図面の簡単な説明】
【００１０】
【図１】本発明のレンズクリーニングディスクを示す斜視図。
【図２】本発明のへの字形清掃部材を示すクリーニングディスク部分断面斜視図。
【図３】本発明のアーチ形清掃部材を示すクリーニングディスク部分断面斜視図。
【図４】クリーニングディスクをプレーヤにセットする方法を示す実施例図。
【図５】鉤形清掃部材を取り付けたクリーニングディスクがレンズをクリーニングする直前の状態を示す実施例図。
【図６】鉤形状清掃部材を取り付けたクリーニングディスクがレンズをクリーニングする状態を示す実施例図。
【図７】鉤形状清掃部材を取り付けたクリーニングディスクがレンズをクリーニングし通過した状態示す実施例図。
【符号の説明】
【００１１】１：鉤形状清掃部材
２：クリーニングディスク
３：ディスク演奏面
４：回転方向
５：への字形清掃部材
６：アーチ形清掃部材
７：プレーヤ
８：ディスク挿入孔
９：ディスク挿入方向表示部
１０：レンズ
【図１】
2009301694.tif 000003
【図２】
2009301694.tif 000004
【図３】
2009301694.tif 000005
【図４】
2009301694.tif 000006
【図５】
2009301694.tif 000007
【図６】
2009301694.tif 000008
【図７】
2009301694.tif 000009